(57)【要約】      （修正有）【課題】  面光源装置、これの駆動方法及び表示装置が開示されている。【解決手段】  面光源装置は互いに並んで配列され、光を発生するための複数の放電空間を有する本体、本体に放電空間を実質的に直交するように具備された一対のメイン電極及びメイン電極の間で放電空間と実質的に直交するように具備された一対のサブ電極を含む。面光源装置のサブ電極にサブ駆動電圧が印加されると、放電空間の一部で放電が起こる。その後、面光源装置のメイン電極にメイン駆動電圧が印加されると、放電空間の全体にかけて放電が起こりながら光が発生する。これによって、面光源装置の消費電力を減少することができ、輝度均一性を向上させることができる。【選択図】図１
2005203373.tif 000002
【特許請求の範囲】
【請求項１】
互いに並んで配列された複数の放電空間を具備して光を発生する本体と、
前記本体に前記放電空間と実質的に直交するように配置された一対のメイン電極と、
前記メイン電極との間に前記放電空間と実質的に直交するように配置された一対のサブ電極と、を含むことを特徴とする面光源装置。
【請求項２】
前記メイン電極には、メイン駆動電圧が印加され、前記サブ電極にはサブ駆動電圧が印加されることを特徴とする請求項１記載の面光源装置。
【請求項３】
前記サブ駆動電圧の電圧レベルは、前記メイン駆動電圧の電圧レベル以下であることを特徴とする請求項２記載の面光源装置。
【請求項４】
前記メイン電極は、前記本体の外側表面に配置されたことを特徴とする請求項１記載の面光源装置。
【請求項５】
前記サブ電極は、前記本体の外側表面に配置されたことを特徴とする請求項１記載の面光源装置。
【請求項６】
前記メイン電極及びサブ電極は、前記本体の外側表面に配置されたことを特徴とする請求項１記載の面光源装置。
【請求項７】
前記放電空間に注入されて放電期間に非可視光線を発生する作動ガス及び前記本体の内面に形成され、前記非可視光線を可視光線に変更させる蛍光層を更に含むことを特徴とする請求項１記載の面光源装置。
【請求項８】
前記本体は、
相互向い合う第１基板及び第２基板と、
前記第１基板と第２基板との間に介在され、前記放電区間を形成するための少なくとも一つの空間分割部材と、
前記第１基板と第２基板との間に介在され、前記第１基板及び第２基板のエッジに沿って配置された密封部材と、を含むことを特徴とする請求項１記載の面光源装置。
【請求項９】
前記空間分割部材によって形成された各放電空間は、相互連結されたことを特徴とする請求項８記載の面光源装置。
【請求項１０】
前記本体は、
プレート形状を有する第１基板と、
前記第１基板に結合される第２基板を含み、
前記第２基板は、複数が連続に配置される放電空間を提供し、各放電空間は種端面がアーチ形状を有することを特徴とする請求項１記載の面光源装置。
【請求項１１】
前記サブ電極は、前記各放電空間の長手方向を基準として二等分した地点から両方向に各々第１長さだけ離隔された位置及び第２長さだけ離隔された位置に配置されたことを特徴とする請求項１記載の面光源装置。
【請求項１２】
前記第１長さ及び第２長さは、実質的に同じであることを特徴とする請求項１１記載の面光源装置。
【請求項１３】
前記第１長さ及び第２長さは、互いに異なることを特徴とする請求項１１記載の面光源装置。
【請求項１４】
互いに並んで配列された複数の放電空間を有する本体と、
前記本体に前記放電空間と実質的に直交する方向に配置された一対のメイン電極と、
前記メイン電極の間に前記放電空間と実質的に直交する方向に配置された一対のサブ電極と、
前記メイン電極及び前記サブ電極の各々に印加されるメイン駆動電圧及びサブ駆動電圧を制御する電源制御装置と、を含むことを特徴とする面光源装置。
【請求項１５】
前記電源制御装置は、前記メイン電極にメイン駆動電圧を印加し、サブ電極にサブ駆動電圧を印加/遮断することを特徴とする請求項１４記載の面光源装置。
【請求項１６】
前記電源制御装置は、第１電源制御装置及び第２電源制御装置を含み、前記第１電源制御装置は、前記メイン電極に第１駆動電圧を印加し、前記第２電源制御装置は前記サブ電極に第２駆動電圧を印加/遮断することを特徴とする請求項１４記載の面光源装置。
【請求項１７】
前記サブ電極に提供される前記第２駆動電圧は、前記メイン電極に前記第１駆動電圧が提供されるとき、遮断されることを特徴とする請求項１６記載の面光源装置。
【請求項１８】
互いに並んで配列された複数の放電空間を有する本体に前記放電空間と実質的に直交するように配置された一対のメイン電極、及び前記メイン電極の間で前記放電空間と実質的に直交するように配置された一対のサブ電極を含む面光源装置を駆動する方法において、
前記放電空間のうち、前記サブ電極の間に位置する放電空間で１次放電が起こるように前記サブ電極にサブ駆動電圧を第１時間のうちに印加する段階と、
前記第１時間が経過した後、前記メイン電極の間に位置する放電空間で２次放電が起こるように前記メイン電極にメイン駆動電圧を印加する段階と、を含むことを特徴とする面光源装置の駆動方法。
【請求項１９】
前記サブ電極に印加されるサブ駆動電圧は、約１．０〜１．５ｋＶ範囲のレベルを有し、前記メイン電極に印加されるメイン駆動電圧は約１．５〜１．９ｋＶ範囲のレベルを有することを特徴とする請求項１８記載の面光源装置の駆動方法。
【請求項２０】
前記２次放電を発生させる段階の後には、前記サブ電極に印加されたサブ駆動電圧を遮断する段階を含むことを特徴とする請求項１８記載の面光源装置の駆動方法。
【請求項２１】
互いに並んで配置され、放電ガスが注入された複数の放電空間を有する本体、前記放電空間と実質的に直交するように前記本体に具備され、前記放電空間で光を発生させるための一対のメイン電極、前記メイン電極の間で前記放電空間と実質的に直交するように前記本体に具備され、前記放電空間で前記光を発生させるためのサブ電極を含む面光源装置と、
前記光の供給を受けて前記光を情報が含まれたイメージ光に変更させる表示パネルと、
前記面光源装置及び前記表示パネルを収納する収納容器と、を含むことを特徴とする表示装置。
【発明の詳細な説明】
【技術分野】
【０００１】
本発明は、面光源装置、これの駆動方法及び表示装置に係わり、より詳細には消費電力を減少させ、輝度均一性は向上させた面光源装置、これの駆動方法及び表示装置に関する。
【背景技術】
【０００２】
一般的に、液晶表示装置（ＬＣＤ）は、液晶に電界（ｅｌｅｃｔｒｉｃ  ｆｉｅｌｄ）を印加し、これによってねじられたり分散される液晶（ｌｉｑｕｉｄ  ｃｒｙｓｔａｌ）の特性を用いて画像を表示する。
【０００３】
画像を表示するために、液晶表示装置は液晶に電界を印加して液晶を制御する液晶制御モジュール（ｌｉｑｕｉｄ  ｃｒｙｓｔａｌ  ｃｏｎｔｒｏｌｌｉｎｇ  ｍｏｄｕｌｅ）及び液晶制御モジュールに光を供給する光供給モジュール（ｌｉｇｈｔ  ｐｒｏｖｉｄｉｎｇ  ｍｏｄｕｌｅ）を含む。
【０００４】
液晶制御モジュールは、相互向い合う一対の基板、基板の間に介在された一対の電極（ｅｌｅｃｔｒｏｄｅ）及び一対の電極の間に介在された液晶を含む。
光供給モジュールは、光を発生する光源（ｌｉｇｈｔ  ｓｏｕｒｃｅ）及び光源から発生した光の光学分布を変更させる光学部材（ｏｐｔｉｃａｌ  ｍｅｍｂｅｒ）を含む。
【０００５】
液晶表示装置を通じて表示される画像の品質は光源の種類によって左右される。一般的に、液晶表示装置は点光源（ｏｎｅ−ｄｉｍｅｎｓｉｏｎａｌ  ｌｉｇｈｔ）である発光ダイオード（ｌｉｇｈｔ  ｅｍｉｔｔｉｎｇ  ｄｉｏｄｅ）又は線光源（ｔｗｏ−ｄｉｍｅｎｓｉｏｎａｌ  ｌｉｇｈｔ）である冷陰極線管方式ランプ（ＣＣＦＬ）が主に用いられる。しかし、発光ダイオード又は冷陰極線管方式ランプは光の輝度均一性が低いため、拡散シート（ｄｉｆｆｕｓｉｏｎ  ｓｈｅｅｔ）、プリズムシート（ｐｒｉｓｍ  ｓｈｅｅｔ）などのような光学部材を別途に必要とする。
【０００６】
最近、液晶表示装置のスクリーンサイズが大きくなることによって、より多い数の光源が必要となっている。そこで、面光源装置（ｓｕｒｆａｃｅ  ｌｉｇｈｔ  ｓｏｕｒｓｅ）が活発に研究されつつある。
【０００７】
複数に区画された放電空間と共に、面光源装置は直六面体の形状を有する。各放電空間では放電（ｄｉｓｃｈａｒｇｅ）によって非可視光線（ｉｎｖｉｓｉｂｌｅ  ｒａｙ）が発生され、非可視光線は面光源装置の内壁に塗布された蛍光体（ｆｌｕｏｒｅｓｃｅｎｔ  ｍａｔｅｒｉａｌ）によって可視光線（ｖｉｓｉｂｌｅ  ｒａｙ）に変更されて出射される。
【発明の開示】
【発明が解決しようとする課題】
【０００８】
しかし、面光源装置は、大型表示装置に適切な光量を提供するにもかかわらず、各放電空間での輝度が多少非均一である可能性がある。
各放電空間での輝度が不均一である場合、面光源装置で発生した光に依存して画像を表示する表示装置の表示品質が大きく低下される。したがって、最近では面光源装置での輝度不均一を改善するための多様な開発が進行しつつある。
【０００９】
そこで、本発明の目的は、均一な輝度分布を有し、消費電力を低下させた面光源装置を提供することにある。
また、本発明の目的は、前記面光源装置を駆動するのに適切した方法を提供することにある。
【００１０】
また、本発明の目的は、前記面光源装置を有する表示装置を提供することにある。
【課題を解決するための手段】
【００１１】
本願第１発明の一特徴による面光源装置は、互いに並んで配列されて光を発生するための複数の放電空間を有する本体、本体に放電空間と実質的に直交するように具備された一対のメイン電極及びメイン電極の間に前記放電空間と実質的に直交するように具備された一対のサブ電極を含む。
【００１２】
前記面光源装置は、メイン電極及びサブ電極に各々印加されるメイン及びサブ駆動電圧を制御する電源制御装置を更に含む。
本願第２発明は、第１発明において、前記メイン電極には、メイン駆動電圧が印加され、前記サブ電極にはサブ駆動電圧が印加されることを特徴とする面光源装置を提供する。
【００１３】
面光源装置一対のサブ電極にサブ駆動電圧が印加されると、放電空間の中で一対のサブ電極間で１次的に放電が起こる。その後、面光源装置４００の一対のメイン電極にメイン駆動電圧が印加される。ここで、放電空間の内部には１次放電が起こった状態であるので、一対のメイン電極にメイン駆動電圧が印加されると、放電空間の全体にかけて２次的に放電が起こる。したがって、面光源装置の消費電力を減少することができ、光の輝度均一性を向上させることができる。その結果、面光源装置を用いる表示装置で表示される画像の品質を向上させることができる。
【００１４】
本願第３発明は、第２発明において、前記サブ駆動電圧の電圧レベルは、前記メイン駆動電圧の電圧レベル以下であることを特徴とする請面光源装置を提供する。
本願第４発明は、第１発明において、前記メイン電極は、前記本体の外側表面に配置されたことを特徴とする面光源装置を提供する。
【００１５】
本願第５発明は、第１発明において、前記サブ電極は、前記本体の外側表面に配置されたことを特徴とする面光源装置を提供する。
本願第６発明は、第１発明において、前記メイン電極及びサブ電極は、前記本体の外側表面に配置されたことを特徴とする面光源装置を提供する。
【００１６】
本願第７発明は、第１発明において、前記放電空間に注入されて放電期間に非可視光線を発生する作動ガス及び前記本体の内面に形成され、前記非可視光線を可視光線に変更させる蛍光層を更に含むことを特徴とする面光源装置を提供する。
【００１７】
本願第８発明は、第１発明において、前記本体は、相互向い合う第１基板及び第２基板と、前記第１基板と第２基板との間に介在され、前記放電区間を形成するための少なくとも一つの空間分割部材と、前記第１基板と第２基板との間に介在され、前記第１基板及び第２基板のエッジに沿って配置された密封部材と、を含むことを特徴とする面光源装置を提供する。
【００１８】
本願第９発明は、第８発明において、前記空間分割部材によって形成された各放電空間は、相互連結されたことを特徴とする面光源装置を提供する。
本願第１０発明は、第１発明において、前記本体は、プレート形状を有する第１基板と、前記第１基板に結合される第２基板を含み、前記第２基板は、複数が連続に配置される放電空間を提供し、各放電空間は種端面がアーチ形状を有することを特徴とする面光源装置を提供する。
【００１９】
本願第１１発明は、第１発明において、前記サブ電極は、前記各放電空間の長手方向を基準として二等分した地点から両方向に各々第１長さだけ離隔された位置及び第２長さだけ離隔された位置に配置されたことを特徴とする面光源装置を提供する。
【００２０】
本願第１２発明は、第１１発明において、前記第１長さ及び第２長さは、実質的に同じであることを特徴とする面光源装置。
本願第１３発明は、第１１発明において、前記第１長さ及び第２長さは、互いに異なることを特徴とする面光源装置を提供する。
【００２１】
本願第１４発明の他の特徴による面光源装置の駆動方法は、互いに並んで配列された複数の放電空間を有する本体に前記放電空間と実質的に直交するように配置された一対のメイン電極及び前記メイン電極の間で前記放電空間と実質的に直交するように配置された一対のサブ電極を含む面光源装置を駆動する方法において、前記放電空間のうち、前記サブ電極の間に位置する放電空間で１次放電が起こるように前記サブ電極にサブ駆動電圧を第１時間のうちに印加する。その後、前記第１時間が経過した後、前記メイン電極の間に位置する放電空間で２次放電が起こるように前記メイン電極にメイン駆動電圧を印加する。
【００２２】
本願第１５発明は、第１４発明において、前記電源制御装置は、前記メイン電極にメイン駆動電圧を印加し、サブ電極にサブ駆動電圧を印加/遮断することを特徴とする面光源装置を提供する。
【００２３】
本願第１６発明は、第１４発明において、前記電源制御装置は、第１電源制御装置及び第２電源制御装置を含み、前記第１電源制御装置は、前記メイン電極に第１駆動電圧を印加し、前記第２電源制御装置は前記サブ電極に第２駆動電圧を印加/遮断することを特徴とする面光源装置を提供する。
【００２４】
本願第１７発明は、第１６発明において、前記サブ電極に提供される前記第２駆動電圧は、前記メイン電極に前記第１駆動電圧が提供されるとき、遮断されることを特徴とする面光源装置を提供する。
【００２５】
本願第１８発明の他の特徴による表示装置は、互いに並んで配置され、放電ガスが注入された複数の放電空間を有する本体、前記放電空間と実質的に直交するように前記本体に具備され、前記放電空間で光を発生させるための一対のメイン電極、前記メイン電極の間で前記放電空間と実質的に直交するように前記本体に具備され、前記放電空間で前記光を発生させるためのサブ電極を有する面光源装置、光の供給を受けて光を情報が含まれたイメージ光に変更させる表示パネル、及び面光源装置及び表示パネルを収納する収納容器を含む。
【００２６】
本願第１９発明は、第１８発明において、前記サブ電極に印加されるサブ駆動電圧は、約１．０〜１．５ｋＶ範囲のレベルを有し、前記メイン電極に印加されるメイン駆動電圧は約１．５〜１．９ｋＶ範囲のレベルを有することを特徴とする面光源装置の駆動方法を提供する。
【００２７】
本願第２０発明は、第１８発明において、前記２次放電を発生させる段階の後には、前記サブ電極に印加されたサブ駆動電圧を遮断する段階を含むことを特徴とする面光源装置の駆動方法を提供する。
【００２８】
本願第２１発明は、互いに並んで配置され、放電ガスが注入された複数の放電空間を有する本体、前記放電空間と実質的に直交するように前記本体に具備され、前記放電空間で光を発生させるための一対のメイン電極、前記メイン電極の間で前記放電空間と実質的に直交するように前記本体に具備され、前記放電空間で前記光を発生させるためのサブ電極を含む面光源装置と、前記光の供給を受けて前記光を情報が含まれたイメージ光に変更させる表示パネルと、前記面光源装置及び前記表示パネルを収納する収納容器と、を含むことを特徴とする表示装置を提供する。
【発明の効果】
【００２９】
本発明によると、面光源装置の中央部に位置した放電空間で１次放電が行われ、その後、面光源装置の全体にかけて２次放電が起こる。
したがって、面光源装置の消費電力を減少することができ、光の輝度均一性を向上させることができる。その結果、面光源装置を用いる表示装置で表示される画像の品質を向上させることができる。
【発明を実施するための最良の形態】
【００３０】
以下、添付した図面を参照して本発明の望ましい実施例を詳細に説明する。
面光源装置
実施例１
図１本発明の第１実施例による面光源装置の底面図である。
【００３１】
図１を参照すると、面光源装置４００は、発光本体１００、一対のメイン電極２００及び一対のサブ電極３００を含む。
前記発光本体１００は、光を発生するための複数の放電空間１１０を有する。本実施例で、前記発光本体１００のうち、光が出射される面を第１面に定義し、前記第１面と対向する面を第２面に定義する。各放電空間１１０は、第１方向Ｄ１に延在し、第２方向Ｄ２に互いに並んで配列される。また、各放電空間１１０は内部的に相互連結される。
【００３２】
前記一対のメイン電極２００は、前記発光本体１００の第１端部に配置された第１メイン電極２１０と前記発光本体１００の第２端部に配置された第２メイン電極２２０を含む。前記第１メイン電極２１０及び第２メイン電極２２０は、前記発光本体１００の前記第２面に相互離隔されて配置される。前記第１メイン電極２１０及び第２メイン電極２２０は、前記放電空間１１０と実質的に直交するように前記第２方向Ｄ２に延びて配置される。
【００３３】
前記一対のサブ電極３００は、前記第１メイン電極２１０と第２メイン電極２２０との間に互いに並んで配置される第１サブ電極３１０及び第２サブ電極３２０を含む。前記第１サブ電極３１０及び前記第２サブ電極３２０は、前記発光本体１００の前記第２面に配置され、互いに所定距離に離隔される。前記第１サブ電極３１０及び第２サブ電極３２０は同様に前記放電空間１１０と実質的に直交するように前記第２方向Ｄ２に延びて配置され、前記第１メイン電極２１０及び第２メイン電極２２０と実質的に平行に配置される。
【００３４】
ここで、前記第１サブ電極３１０と前記第１名メイン電極２１０との離隔距離と、前記第２サブ電極３２０と前記第２メイン電極２２０との離隔距離は互いに同じであったり、異なるように形成するすることができる。本実施例で、前記第１サブ電極３１０と前記第１メイン電極２１０との離隔距離と、前記第２サブ電極３２０と前記第２メイン電極２２０との離隔距離は互いに同じである。
【００３５】
前記発光本体１００で光を発生させるために、前記放電空間１１０では放電が起こると、前記放電空間１１０から光が発生される。前記面光源装置４００が放電によって光を発生すると、前記発光本体１００で光を発生する途中に発生される熱を減少させることができる。したがって、本実施例による前記面光源装置４００は、液晶を用いて画像を表示する液晶表示装置に特に適合する。
【００３６】
前記発光本体１００で放電を発生させるために、前記第１メイン電極２１０及び第２メイン電極２２０には、メイン駆動電圧が各々印加される。ここで、前記第１メイン電極２１０及び第２メイン電極２２０に各々印加されたメイン駆動電圧は、前記放電空間１１０で放電が起こるのに十分な第１電圧差を有する。
【００３７】
前記発光本体１００で放電を開始するために、前記第１サブ電極３１０及び第２サブ電極３２０にはサブ駆動電圧が各々印加される。ここで、前記第１サブ電極３１０及び第２サブ電極３２０に各々印加されたサブ駆動電圧は、前記放電空間１１０で放電が起こるのに十分な第２電圧差を有する。
【００３８】
前記第１サブ電極３１０と前記第２サブ電極３２０との離隔距離は、前記第１メイン電極２１０と前記第２メイン電極２２０との離隔距離より狭い。したがって、前記第１サブ電極３１０に印加された前記サブ駆動電圧は前記第１メイン電極２１０に印加された前記メイン駆動電圧より低い電圧レベルを有し、前記第２サブ電極２３０に印加された前記サブ駆動電圧は、前記第２メイン電極２２０に印加された前記メイン駆動電圧より低い電圧レベルを有する。
【００３９】
前記面光源装置４００の前記第１サブ電極３１０及び第２サブ電極３２０に前記サブ駆動電圧が印加されると、前記放電空間１１０の中で前記第１サブ電極３１０と第２サブ電極３２０との間で１次的に放電が起こる。
【００４０】
その後、前記面光源装置４００の前記第１メイン電極２１０及び第２メイン電極２２０に前記メイン駆動電圧が印加される。ここで、前記放電空間１１０の内部には１次放電が起こった状態であるので、前記第１メイン電極２１０及び第２メイン電極２２０に前記メイン駆動電圧が印加されると、前記放電空間１１０の全体にかけて２次的に放電が起こる。
【００４１】
前記面光源装置４００の前記第１メイン電極２１０及び第２メイン電極２２０は、発光本体１００の内面又は外面に形成することができる。本実施例で、前記第１メイン電極２１０及び第２メイン電極２２０は望ましくは前記発光本体１００の外面に形成される。前記第１メイン電極２１０及び第２メイン電極２２０を前記発光本体１００の外面に形成すると、前記放電空間１１０で放電を起こすのに必要な放電電圧を大きく減少させることができる。
【００４２】
また、前記面光源装置４００の前記第１サブ電極３１０及び第２サブ電極３２０は、前記発光本体１００の内面又は外面に形成することができる。本実施例で、前記第１サブ電極３１０及び第２サブ電極３２０は、望ましくは前記発光本体１００の外面に形成される。このように、前記第１サブ電極３１０及び第２サブ電極３２０を前記発光本体１００の外面に形成すると、前記放電空間１１０で放電を起こすのに必要な放電電圧を大きく減少させることができる。
【００４３】
一方、放電が発生する前記面光源装置４００の前記発光本体１００は可視光線を発生させるために作動ガス（ｗｏｒｋｉｎｇ  ｇａｓ）及び蛍光層（ｆｌｕｏｒｅｓｃｅｎｔ  ｌａｙｅｒ）を含むことができる。
【００４４】
前記作動ガスは、前記面光源装置４００の前記放電空間１１０内に注入される。前記作動ガスは望ましくは、水銀（ｍｅｒｃｕｒｙ）、アルゴン（Ａｒｇｏｎ）、ネオン（Ｎｅｏｎ）、キセノン（Ｘｅｎｏｎ）及びクリプトン（Ｋｒｙｐｔｏｎ）などを含む。前記水銀は、放電によって発生した電子と衝突して紫外線を発生し、アルゴン、ネオン、キセノン、及びクリプトンなどはペニング効果（ｐｅｎｎｎｉｎｇ  ｅｆｆｅｃｔ）によって放電電圧をより低下させる。
【００４５】
前記蛍光層は、前記放電空間１１０を構成する前記発光本体１００の内壁に形成される。前記蛍光層は、前記放電動作の期間に前記作動ガスによって発生した紫外線（ｕｌｔｒａｖｉｏｌｅｔ  ｒａｙ）を可視光線（ｖｉｓｉｂｌｅ  ｒａｙ）に変更させる。
実施例２
図２は、本発明の第２実施例による面光源装置の部分切開斜視図である。図３は、図２のＡ１−Ａ２に沿って見た断面図である。本発明の第２実施例による面光源装置は、実施例１の発光本体の構造を除くと実施例１の面光源装置と同じである。したがって、同じ部材に対しては実施例１と同じ参照符号を付与し、その重複された説明は省略する。
【００４６】
図２及び図３を参照すると、前記発光本体１００は第１基板１２０、第２基板１３０、空間分割部材１４０、密封部材１５０及び反射層１５５を含む。
前記第１基板１２０及び第２基板１３０は互いに向い合うように配置される。
【００４７】
前記第１基板１２０は、プレート形状を有し、望ましくは、ガラスと類似な光透過率（ｌｉｇｈｔ  ｔｒａｎｓｍｉｔｔａｎｃｅ）を有する。本実施例で、前記第１基板１２０としてはガラス基板（ｇａｌｓｓ  ｓｕｂｓｔｒａｔｅ）が用いられる。前記第２基板１３０と向い合う前記第１基板１２０には前記反射層１５５が配置される。前記反射層１５５は、前記放電空間１１０で発生した光が第１基板１２０に向かうように反射して前記面光源装置４００で発生した光の輝度を大きく向上させる。
【００４８】
前記第２基板１３０は、プレート形状を有し、前記第２基板１３０は、ガラスと類似な光透過率を有する物質、例えば、ガラス又は合成樹脂、ガラスより顕著に低い光透過率を有する物質、例えば、不透明合成樹脂を含むことができる。本実施例で、前記第２基板１３０にはガラス基板が用いられる。
【００４９】
前記第１基板１２０及び第２基板１３０の互いに向い合う面には、紫外線を可視光線に変更するための蛍光層１４７が形成される。
前記密封部材１５０は、向い合っている前記第１基板１２０と前記第２基板との間に介在される。前記密封部材１５０は、前記第１基板１２０及び前記第２基板１３０のエッジに沿って形成され、前記第１基板１２０と前記第２基板１３０との間を密封して所定空間を提供する。
【００５０】
前記空間分割部材１４０は、第１基板１２０と第２基板１３０との間に形成された前記空間に介在される。
前記空間分割部材１４０は、直六面体棒の形状を有する。具体的に、前記空間分割部材１４０は、前記第１方向Ｄ１に第１長さを有し、前記第１方向Ｄ１と実質的に直交する前記第２方向Ｄ２には第１長さより小さい第１幅を有する。本実施例で、前記空間分割部材１４０は、前記第１方向Ｄ１と実質的に平行に配置され、前記第２方向Ｄ２に少なくとも二つ以上が互いに並んで配置される。
【００５１】
前記空間分割部材１４０が前記第１基板１２０と第２基板１３０との間に配置されると、前記第１基板１２０と第２基板１３０との間には前記空間分割部材１４０によって少なくとも二つの放電空間１１０が形成される。したがって、前記各放電空間１１０は前記第１方向Ｄ１に延在し、前記第２方向Ｄ２に互いに並ぶ形状を有するように形成される。
【００５２】
前記密封部材１５０によって密封された前記第１基板１２０と第２基板１３０との間には作動ガス１４５が注入される。
ここで、前記空間部材１４０によって形成された各放電空間１１０に配置された作動ガスの圧力が均一ではない場合、各放電空間１１０で発生した光の光量が互いに異なるようになり、これによって各放電空間１１０で発生した光の輝度は互いに異なるようになる。
【００５３】
これを防止するために、前記空間分割部材１４０は、前記第１基板１２０の前記第１方向Ｄ１への長さより短く形成され、したがって、前記放電空間１１０は相互連結される。
このように、放電空間１１０を相互連結する場合、各放電空間１１０で発生したプラズマが隣接した放電空間１１０に移動するので、各放電空間１１０での輝度均一性が減少される可能性がある。
【００５４】
本実施例で、前記面光源装置４００の発光本体１００の各放電空間１１０が空間分割部材１４０によって分割されることによって発生する輝度不均一を防止するために、前記第１サブ電極３１０と第２サブ電極３２０との間で１次的に放電を発生させ、前記第１メイン電極２１０と第２メイン電極２２０との間で２次的に放電を発生させる。
実施例３
図４は、本発明の第３実施例による面光源装置の斜視図である。図５は、図４のＢ１−Ｂ２に沿って見た断面図である。図６は、図４のＣ１−Ｃ２に沿って見た断面図である。本発明の第３実施例による面光源装置は実施例１の発光本体の構造を除くと実施例１の面光源装置と同じである。したがって、同じ部材に対しては実施例１と同じ参照符号を付与し、その重複された説明は省略する。
【００５５】
図４、図５及び図６を参照すると、発光本体１００は第１基板１６０、第２基板１７０、蛍光層１７５及び反射層１７７を含む。
前記第１基板１６０は、プレート形状を有し、望ましくは、ガラスと類似な光透過率を有する。本実施例で、前記第１基板１６０にはガラス基板が用いられる。
【００５６】
前記第２基板１７０は、成型加工工程によって一体に連結された複数のアーチ形状を有する。これとは違って、前記第２基板１７０は梯形形状など、多様な形状を有することができる。前記第２基板１７０と前記第１基板１６０が結合すると、前記第１基板１６０上には前記第２基板１７０によってアーチ形状又は梯形形状を有する複数の放電空間１１５が形成される。前記第１基板１６０のエッジ及び第２基板１７０のエッジには密封部材、例えば、鉛ガラスなどが介在され、前記密封部材によって第１基板１６０及び第２基板１７０は相互結合することができる。
【００５７】
一方、各放電空間１１５に配置された作動ガスの圧力が均一であるように前記第２基板１７０によって形成された複数の放電空間１１５は相互連結された蛇行構造（ｓｅｒｐｅｎｔｉｎｅ  ｓｔｒｕｃｔｕｒｅ）を有する。これを具現するために、前記第２基板１７０の溝部分には作動ガスが隣接した放電空間に移動可能であるように、開口１１５ａが形成される。
【００５８】
また、前記第２基板１７０は、半円筒を蛇行構造を有するように曲げた形状を有することができる。
前記第１基板１６０には、全面積にかけて光反射層１２７が形成され、前記放電空間１１５を形成する前記第１基板１６０及び前記第２基板１７０の内壁には各々蛍光層１７５が形成される。
【００５９】
このように、アーチ形状を有する放電空間１１５で発生した光は、放射状に出射されるので、輝度均一性が非常に均一である。
実施例４
図７は、本発明の第４実施例による面光源装置の底面図である。本発明の第４実施例による面光源装置は、電源制御装置を除くと、実施例１の面光源装置と同じである。したがって、同じ部材に対しては実施例１と同じ参照符号を付与し、その重複された説明は省略する。
【００６０】
図７を参照すると、面光源装置４００は電源制御装置５００更に含む。前記電源制御装置５００は互いに異なるレベルを有するメイン駆動電圧５１０及びサブ駆動電圧５２０を発生する。前記電源制御装置５００から発生したメイン駆動電圧５１０は、前記第１メイン電極２１０及び第２メイン電極２２０に印加され、前記電源制御装置５００から発生したサブ駆動電圧５２０は前記第１サブ電極３１０、第２サブ電極３２０に印加される。
【００６１】
前記メイン駆動電圧５１０は、前記第１メイン電極２１０と第２メイン電極２２０との間に放電を起こすのに十分な第１電圧差を有し、前記サブ駆動電圧５２０は前記第１サブ電極３１０と第２サブ電極３２０との間で放電を起こすのに十分な第２電圧差を有する。
【００６２】
ここで、前記サブ駆動電圧５２０のレベルは、前記メイン駆動電圧５１０のレベルより低く、前記メイン駆動電圧５１０は、前記第１サブ電極３１０及び第２サブ電極３２０を用いない面光源装置（図示せず）の電極に印加される駆動電圧のレベルより低い電圧レベルを有する。
【００６３】
また、前記電源制御装置５００は、前記面光源装置４００の前記第１サブ電極３１０及び第２サブ電極３２０に所定時間のうちに前記サブ駆動電圧５２０印加し、再び遮断する。
実施例５
図８は、本発明の第５実施例による面光源装置の底面図である。本発明の第５実施例による面光源装置は、電源制御装置を除くと実施例１の面光源装置と同じである。したがって、同じ部材に対しては実施例１と同じ参照符号を付与し、その重複された説明は省略する。
【００６４】
図８を参照すると、面光源装置４００は、電源制御装置６００を更に含む。前記電源制御装置６００は、第１電源制御装置６１０及び第２電源制御装置６２０を含む。
前記第１電源制御装置６１０は、前記第１メイン電極２１０及び第２メイン電極２２０に提供されるメイン駆動電圧６１５を発生する。前記第１メイン電極２１０及び第２メイン電極２２０に各々提供される前記メイン駆動電圧６１５は前記第１メイン電極２１０と第２メイン電極２２０との間に形成された放電空間１００で放電が起こるのに十分な第１電圧差を有する。
【００６５】
前記第２電源制御装置６２０は、前記第１サブ電極３１０及び第２サブ電極３２０に提供されるサブ駆動電圧６２５を発生したり遮断する。前記第１サブ電極３１０及び第２サブ電極３２０に各々提供される前記サブ駆動電圧６２５は、前記第１サブ電極３１０及び前記第２サブ電極３２０の間に形成された放電空間１１０で放電が起こるのに十分な第２電圧差を有する。
【００６６】
ここで、前記第２電源制御装置６２０から発生した前記サブ駆動電圧６２５のレベルは、前記第１電源制御装置６１０から発生した前記メイン駆動電圧６１５のレベルより低い。また、前記メイン駆動電圧６１５は、前記第１サブ電極３１０及び第２サブ電極３２０を用いない面光源装置（図示せず）に印加される電圧レベルより低い電圧レベルを有する。
【００６７】
面光源装置の駆動方法
実施例６
図９は、本発明の第６実施例による面光源装置の駆動方法を示した順序図である。本実施例で、面光源装置は実施例１に示した面光源装置と同じ構成要素を有するので、その重複された説明は省略し、同じ構成要素に対しては同じ名称及び同じ参照符号を付与する。
【００６８】
図１及び図９を参照すると、前記面光源装置４００の前記第１サブ電極３１０及び第２サブ電極には前記サブ駆動電圧が第１時間のうちに印加される（段階１００）。前記面光源装置４００の前記第１サブ電極３１０及び第２サブ電極３２０に前記サブ駆動電圧が印加されることによって前記第１サブ電極３１０と第２サブ電極３２０との間に位置した放電空間１１０で放電が発生する。放電によって前記第１サブ電極３１０と前記第２サブ電極３２０との間にはプラズマが発生し、これによって可視光線が発生する。
【００６９】
前記サブ駆動電圧が前記第１サブ電極３１０及び第２サブ電極３２０に印加され、第１時間が経過した後、前記第１メイン電極２１０及び第２メイン電極２２０には前記メイン駆動電圧が印加される（段階２００）。ここで、前記メイン駆動電圧が前記第１メイン電極２１０及び第２メイン電極２２０に印加されると同時に前記第１サブ電極３１０及び第２サブ電極３２０に印加している前記サブ駆動電圧は遮断される。この結果、前記放電空間１１０の全体にかけて放電が起こり、また放電空間１１０の全体にかけて可視光線が発生される。
【００７０】
このような方法で前記面光源装置４００を駆動する場合、前記面光源装置４００から可視光線を発生するのに必要な電圧のレベルを低下させることができるので、面光源装置４００の消費電力をより減少させることができる。また、前記面光源装置４００の各放電空間１１０から隣接した放電空間にプラズマが移動することによって輝度が部分的に不均一になることを防止することができる。
【００７１】
本実施例によると、前記第１サブ電極３１０及び第２サブ電極３２０に印加される前記サブ駆動電圧は約１．０〜約１．５ｋＶの範囲のレベルを有し、前記第１メイン電極２１０及び第２メイン電極２２０に印加されるメイン駆動電圧は約１．５〜約１．９ｋＶの範囲のレベルを有することが望ましい。
表示装置
実施例７
図１０は、本発明の第７実施例による表示装置を示した部分切開部分斜視図である。本発明の第７実施例による表示装置の面光源装置は、実施例１に説明された面光源装置と同じである。したがって、同じ装置に対しては実施例１と同じ参照符号を付与し、その重複された説明は省略する。
【００７２】
図１０を参照すると、液晶表示装置１０００は、収納容器７００、面光源装置４００、液晶表示パネル８００及びシャーシ９００を含む。
前記収納容器７００は、底面７１０及び底面７１０のエッジから延在し、前記底面７１０と共に収納空間を提供するための側壁７２０、放電電圧印加モジュール７３０及びインバータ５５０で構成される。前記収納容器７００は、前記面光源装置４００及び前記液晶表示パネル８００が流動されないように固定する。
【００７３】
前記収納容器７００の底面７１０は前記面光源装置４００が装着されるのに十分な底面面積及び前記面光源装置４００と実質的に同様な形状を有する。本実施例で、前記底面７１０は、前記面光源装置４００と実質的に同様な直六面体プレートの形状を有する。
【００７４】
前記収納容器７００の側壁は、前記面光源装置４００が前記収納空間から外部に離脱しないように前記底面７１０のエッジから延在しる。
前記放電電圧印加ジュール７３０は、前記面光源装置４００の前記第１メイン電極２１０及び第２メイン電極２２０に前記メイン駆動電圧を印加し、前記第１サブ電極３１０及び第２サブ電極３２０に前記サブ駆動電圧を印加する。
【００７５】
前記放電電圧印加モジュール７３０は、メイン駆動電圧印加モジュール７３２及びサブ駆動電圧印加モジュール７３４を含む。
前記面光源装置４００に形成された前記第１メイン電極２１０及び第２メイン電極２２０は、前記収納容器７００の底面７１０の両端に各々具備された前記メイン駆動電圧印加モジュール７３２に固定される。また、前記第１サブ電極３１０及び第２サブ電極３２０は、前記収納容器７００の底面７１０の中央部に具備された前記サブ駆動電圧印加モジュール７３４に固定される。
【００７６】
前記インバータ５５０は、前記メイン駆動電圧印加モジュール７３２及び前記サブ駆動電圧印加モジュール７３４に前記メイン駆動電圧及び前記サブ駆動電圧を各々印加する。前記インバータ５５０及び前記メイン駆動電圧印加モジュール７３２は、第１電源印加線５０１によって電気的に連結され、前記インバータ５５０及び前記サブ駆動電圧印加モジュール７３４は第１電源印加線５０３によって電気的に連結される。
【００７７】
前記液晶表示パネル８００は、前記面光源装置４００で発生した光を情報が含まれたイメージ光に変換する。これを具現するために、前記液晶表示パネル８００は、ＴＦＴ基板８１０、液晶８２０、カラーフィルター基板８３０及び駆動モジュール８４０を含む。
【００７８】
前記ＴＦＴ基板８１０は、マトリクス形態に配置された画素電極、各画素電極に駆動電圧を印加する薄膜トランジスタ、ゲートライン及びデータラインを含む。
前記カラーフィルター基板８３０は、前記ＴＦＴ基板８１０に形成された画素電極と向い合うように配置されたカラーフィルター、前記カラーフィルターの上面に形成された共通電極を含む。
【００７９】
前記液晶は、ＴＦＴ基板８１０とカラーフィルター基板８３０との間に配置される。
前記液晶表示パネル８００の前記カラーフィルター基板８３０のエッジは、前記シャーシ９００によって囲まれ、前記シャーシ９００の一部は収納容器７００にフック結合される。前記シャーシ９００は外部の衝撃から脆性が弱い液晶表示パネル８００がわれることを防止し、また液晶表示パネル８００が収納容器７００から離脱することを防止する。前記液晶表示装置１０００は、前記面光源装置４００から出射された光を拡散させる光拡散部材４９０を更に含むことができる。
【産業上の利用可能性】
【００８０】
以上で詳細に説明したように、面光源装置での放電が二回にかけて行われる。即ち、面光源装置の中央部に位置した放電空間で１次放電が起こり、その後、面光源装置の全体にかけて２次放電が起こる。したがって、面光源装置の消費電力がわかり、光の輝度均一性を向上させることができる。その結果、面光源装置を用いる表示装置で表示される画像の品質を向上させることができる。
【００８１】
以上、本発明の実施例によって詳細に説明したが、本発明はこれに限定されず、本発明が属する技術分野において通常の知識を有するものであれば本発明の思想と精神を離脱することなく、本発明を修正または変更できる。
【図面の簡単な説明】
【００８２】
【図１】本発明の一実施例による面光源装置の底面図である。
【図２】本発明の一実施例による面光源装置の部分切開底面斜視図である。
【図３】図２のＡ１−Ａ２に沿って見た断面図である。
【図４】本発明の一実施例による面光源装置の斜視図である。
【図５】図４のＢ１−Ｂ２に沿って見た断面図である。
【図６】図４のＣ１−Ｃ２に沿って見た底面図である。
【図７】本発明の一実施例による面光源装置の底面図である。
【図８】本発明の一実施例による面光源装置の底面図である。
【図９】本発明の一実施例による面光源装置の駆動方法を示した順序図である。
【図１０】本発明の一実施例による表示装置を示した部分切開分解斜視図である。
【符号の説明】
【００８３】
１００    発光本体
１１０、１１５    放電空間
１２０、１６０    第１基板
１３０、１７０    第１基板
１４０    空間分割部材
１４７、１７５    蛍光層
１５０    密封部材
１５５、１７７    反射層
２００    メイン電極
２１０    第１メイン電極
２２０    第２メイン電極
３００    サブ電極
３１０    第１サブ電極
３２０    第２サブ電極
４００    面光源装置
４９０    光拡散部材
５００、６００    電源制御装置
５０１    第１電源印加線
５０３    第２電源印加線
５１０、６１５    メイン駆動電圧
５２０、６２５    サブ駆動電圧
５５０    インバータ
６１０    第１電源制御装置
６２０    第２電源制御装置
７００    収納容器
７１０    底面
７２０    側壁
７３０    放電電圧印加モジュール
７３２    メイン駆動電圧印加率
７３４    サブ駆動電圧印加モジュール
８００    液晶表示パネル
８１０    ＴＦＴ基板
８２０    液晶
８３０    カラーフィルター基板
８４０    駆動モジュール
９００    シャーシ
１０００    液晶表示装置
【図１】
2005203373.tif 000003
【図２】
2005203373.tif 000004
【図３】
2005203373.tif 000005
【図４】
2005203373.tif 000006
【図５】
2005203373.tif 000007
【図６】
2005203373.tif 000008
【図７】
2005203373.tif 000009
【図８】
2005203373.tif 000010
【図９】
2005203373.tif 000011
【図１０】
2005203373.tif 000012